(57)【要約】【課題】簡素な構成で、遠心圧縮機の前段に配置された軸流圧縮機又は斜流圧縮機におけるサージングの発生のおそれを低減することが可能な多段圧縮機を提供する。【解決手段】遠心圧縮機２のインペラ９の外周９ａに配置されたディフューザ１０の弦節比σを、３．０以下とする。これにより、ディフューザ１０における圧力損失を抑制して流量を増加させ、遠心圧縮機２の前段に配置された軸流圧縮機３又は斜流圧縮機におけるサージングの発生のおそれを低減する。抽気のための専用の装置や、可変入口案内翼のための専用の装置を設けることなく、サージングの発生のおそれを低減することができるので、部品点数の増加や、重量の増加や、制御の複雑さを回避して、サージングの発生を抑制することができる。【選択図】図２
2014214649.tif 000002
【特許請求の範囲】
【請求項１】
回転軸回りに回転するインペラを備えた遠心圧縮機の前段に軸流圧縮機又は斜流圧縮機が配置された多段圧縮機であって、
前記インペラの外周に沿って配置されたディフューザは、羽根有りのディフューザであり、当該ディフューザの弦節比が３．０以下であることを特徴とする多段圧縮機。
【発明の詳細な説明】
【技術分野】
【０００１】
本発明は、遠心圧縮機の前段に軸流圧縮機又は斜流圧縮機が配置された多段圧縮機に関する。
【背景技術】
【０００２】
従来、軸心を中心に回転する動翼列を有する軸流圧縮機と、この軸流圧縮機の下流側に同軸に配置され軸心を中心に回転する遠心インペラを有する遠心圧縮機とを備える圧縮装置がある（例えば、特許文献１参照）。
【０００３】
特許文献２に記載のガスタービンエンジンでは、遠心圧縮機の入口案内羽根の角度を所定の角度とすることで、サージングの発生を防止している。特許文献３に記載の遠心圧縮機では、ベーンレスディフューザ壁の一部を可動壁とすることで、流路幅の段差が大きくなることによる急拡大損失の発生を抑制している。特許文献４に記載の圧縮機では、低流量時において、ディフューザ上流側の壁面の間隔を狭めることでサージングを防止している。
【先行技術文献】
【特許文献】
【０００４】
【特許文献１】特開２０１２−４１８２６号公報
【特許文献２】特表平２−５０４４１６号公報
【特許文献３】特開昭６１−２５２８９７号公報
【特許文献４】実開平７−８５９７号公報
【発明の概要】
【発明が解決しようとする課題】
【０００５】
遠心圧縮機の前段に配置された軸流圧縮機では、流量の少ない始動時などにおいて、サージングが発生し起動できないおそれがあり、抽気を行うことや、可変入口案内翼（Variable Inlet Guide Vane、VIGV）を設けて空気に予旋回を与えることで、サージングの発生を抑えることが考えられる。
【０００６】
サージングを回避するために抽気を行うと、一度昇圧した空気を無駄に捨てることになり、圧縮機の性能を低下させることになる。また、抽気のための専用の装置が増えると、スペースの増加や、部品点数の増加や、重量の増加につながる。さらに、抽気のための専用の装置を設置しても、通常の運転状態では利用されないので、使用しない状態を維持するために、抽気箇所を閉じるための可変機構やこの可変機構を制御するための制御系が必要となり、部品点数の増加や、重量の増加や、制御の複雑さなどにつながる。
【０００７】
可変入口案内翼を設けた場合には、設置スペースが増加するので、装置の小型化が困難であると共に重量が増加する。さらに、可変入口案内翼を可動させるための機構や制御系が必要であり、部品点数の増加や、重量の増加や、制御の複雑さなどにつながる。
【０００８】
そこで、部品点数の増加や、重量の増加や、制御の複雑さを回避しつつ、サージングの発生のおそれを低減することが求められている。本発明は、簡素な構成で、遠心圧縮機の前段に配置された軸流圧縮機又は斜流圧縮機におけるサージングの発生のおそれを低減することが可能な多段圧縮機を提供することを目的とする。
【課題を解決するための手段】
【０００９】
本発明の多段圧縮機は、回転軸回りに回転するインペラを備えた遠心圧縮機の前段に軸流圧縮機又は斜流圧縮機が配置された多段圧縮機であって、インペラの外周に沿って配置されたディフューザは、羽根有りのディフューザであり、当該ディフューザの弦節比が３．０以下であることを特徴としている。
【００１０】
この多段圧縮機によれば、遠心圧縮機のインペラの外周に配置されたディフューザの弦節比が、３．０以下であるので、ディフューザにおける圧力損失を抑制して流量を増加させ、遠心圧縮機の前段に配置された軸流圧縮機又は斜流圧縮機におけるサージングの発生のおそれを低減することができる。抽気のための専用の装置や、可変入口案内翼のための専用の装置を設けることなく、サージングの発生のおそれを低減することができるので、部品点数の増加や、重量の増加や、制御の複雑さを回避して、サージングの発生を抑制することができる。
【発明の効果】
【００１１】
本発明によれば、簡素な構成で、遠心圧縮機の前段に配置された軸流圧縮機又は斜流圧縮機におけるサージングの発生のおそれを低減することが可能な多段圧縮機を提供することができる。
【図面の簡単な説明】
【００１２】
【図１】本発明の実施形態に係る多段圧縮機の回転軸線方向に沿う断面図である。
【図２】図１中の遠心圧縮機のインペラ及び低弦節比のディフューザを示す正面図である。
【図３】インペラ及び高弦節比のディフューザを示す正面図である。
【図４】多段圧縮機の流量とサージングとの関係を示すグラフである。
【図５】インペラ及びベーンレスディフューザを示す正面図である。
【図６】ベーンレスディフューザを備えた多段圧縮機の流量とサージングとの関係を示すグラフである。
【図７】試験結果に基づく流量と圧力比との関係を示すグラフである。
【発明を実施するための形態】
【００１３】
以下、図面を参照しつつ、本発明に係る多段圧縮機の実施形態について詳細に説明する。
【００１４】
図１に示されるように、多段圧縮機１には、遠心圧縮機２の前段に軸流圧縮機３が設けられている。多段圧縮機１は、例えば、航空機のガスタービンエンジンや、自動車のターボチャージャに利用可能である。なお、多段圧縮機１において内部流体の流れの上流側を前とし、内部流体の流れの下流側を後とする。
【００１５】
軸流圧縮機３は、複数の羽根板４が設けられて回転軸５回りに回転するロータ（回転子）６と、このロータ６の回転により圧縮されて後方へ排出された空気を案内するステータ７（固定子）とを備えている。軸流圧縮機３によって圧縮された空気は、後段の遠心圧縮機２に導入される。
【００１６】
遠心圧縮機２は、複数の動翼８が設けられ回転軸５回りに回転するインペラ９と、インペラ９の外周９ａに沿って配置されたディフューザ１０とを有する。回転軸５の軸線方向の前方から遠心圧縮機２内に流入した空気は、インペラ９の回転により圧縮されて、インペラ９の径方向の外方に向けて排出され、ディフューザ１０に導入される。
【００１７】
ディフューザ１０に導入された圧縮空気は、ディフューザ１０の静翼１１により案内されてディフューザ１０の外周に配置された流路１２内に流入する。圧縮空気の運動エネルギはディフューザ１０によって圧縮空気の圧力エネルギに変換される。流路１２は、回転軸５の径方向の外方に向く流れを、回転軸５の軸線方向の後方へ向ける。流路１２の下流には、整流板１３が設けられている。整流板１３は、流路１２内を流れる空気を整流して渦を解消する。流路１２を通過した圧縮空気は、多段圧縮機１の後段に配置された燃焼室に導入される。燃焼室で発生した燃焼ガスは、燃焼室の下流のタービンの回転に用いられる。このタービンの回転軸は、軸流圧縮機３及び遠心圧縮機２の回転軸５と共通であり、タービンが回転することで、ロータ６及びインペラ９が回転する。
【００１８】
図２は、遠心圧縮機２のインペラ９及びディフューザ１０を回転軸５の軸線方向の前方から示す正面図である。ディフューザ１０の静翼１１は、回転軸５の周方向に所定の間隔Ｐで配置されている。静翼１１は、例えば、インペラ９の径方向に対して傾斜して配置され、径方向の外方に向けて凸である湾曲形状を有する。
【００１９】
ディフューザ１０の弦節比σは例えば２．５である。弦節比σは、静翼１１のインペラ９の周方向における配置間隔Ｐと、静翼１１の翼弦長Ｃとの比率である。配置間隔Ｐは、静翼１１の前縁の翼列線に沿った間隔である。前縁とは、上流側の先端の縁である。なお、ディフューザ１０は、弦節比σが３．０以下であればよい。弦節比σは、下記式（１）によって表現することができる。
【数１】
2014214649.tif 000003
【００２０】
なお、弦節比σが３．０以下のディフューザを低弦節比のディフューザとし、弦節比σが３．０を超えるディフューザを高弦節比のディフューザとする。翼弦長Ｃが同じである場合には、配置間隔Ｐを大きくすることで、弦節比σを小さくすることができ、配置間隔Ｐを小さくすることで、弦節比σを大きくすることができる。配置間隔Ｐが同じである場合には、翼弦長Ｃを小さくすることで、弦節比σを小さくすることができ、翼弦長Ｃを大きくすることで、弦節比σを大きくすることができる。
【００２１】
図３は、インペラ９及び高弦節比のディフューザ１４を回転軸５の軸線方向の前方から示す正面図である。高弦節比のディフューザ１４は、弦節比σが例えば９．０の静翼１５を備えている。
【００２２】
図４は、多段圧縮機１における流量と圧力比との関係を示すグラフである。図４では、横軸（Ｘ軸）に、多段圧縮機１の流量を示し、縦軸（Ｙ軸）に圧力比を示している。図４に示すグラフは、多段圧縮機１について試験運転を行い、流量、入口圧及び出口圧を測定することにより作成可能である。図４において一点鎖線で示される直線Ｌ１及びＸ軸によって囲まれた領域は、サージングの発生を防止し運転可能な範囲Ａを示している。この範囲Ａ内の流量及び圧力比（出口圧／入口圧）であれば、多段圧縮機１が運転可能であることを示している。
【００２３】
図４において二点鎖線で示される直線Ｌ２は、遠心圧縮機２において、サージングが発生する運転条件の境界を示している。直線Ｌ２で示される運転条件を超える圧力比である場合には、遠心圧縮機２においてサージングが発生することを示している。直線Ｌ２は、右上がりの直線であり、運転条件が直線Ｌ２で示す境界を超えている場合には、流量を増加させることで、直線Ｌ２以下の運転条件に変更してサージングが発生しない運転条件とすることができる。
【００２４】
図４中の直線Ｌ１は、軸流圧縮機３において、サージングが発生する運転条件の境界を示している。直線Ｌ１で示される運転条件を超える圧力比である場合には、軸流圧縮機３においてサージングが発生することを示している。直線Ｌ１は、右上がりの直線であり、運転条件が直線Ｌ１で示す境界を越えている場合には、流量を増加させることで、直線Ｌ１以下の運転条件に変更してサージングが発生しない運転条件とすることができる。
【００２５】
図４において実線で示される直線Ｌ３は、図３に示される高弦節比のディフューザ１４を備えた多段圧縮機の流量と圧力比の関係を示す作動ラインである。直線Ｌ３は、直線Ｌ１を超える運転条件であるため、軸流圧縮機３においてサージングが発生し運転が困難であることを示している。
【００２６】
図４において破線で示される直線Ｌ４は、図２に示される低弦節比のディフューザ１０を備えた多段圧縮機１の流量と圧力比の関係を示す作動ラインである。直線Ｌ４は、運転可能な範囲Ａ内であり、直線Ｌ１以下の運転条件であるため、軸流圧縮機３においてサージングの発生を抑制して運転を実行可能であることを示している。
【００２７】
直線Ｌ４は、直線Ｌ３より下方に存在し、直線Ｌ３よりも大きな傾きの直線であり、低弦節比のディフューザ１０を備えた多段圧縮機１は、高弦節比のディフューザ１４を備えた多段圧縮機と比較して、同一の圧力比の場合に流量が増えることを示している。なお、直線Ｌ３の大流量側の端部は、多段圧縮機１の定格時の流量と圧力比との関係を示している。
【００２８】
次に、低弦節比のディフューザ１０に代えて、ベーンレスディフューザ１６を備える場合について説明する。図５は、ベーンレスディフューザ１６を回転軸５の軸線方向の前方から示す正面図である。ベーンレスディフューザ１６は、弦節比が０であり、静翼が設けられていない翼無ディフューザである。
【００２９】
図６は、多段圧縮機における流量と圧力比との関係を示すグラフである。図６では、横軸（Ｘ軸）に、多段圧縮機の流量を示し、縦軸（Ｙ軸）に圧力比を示している。
【００３０】
図６において破線で示される直線Ｌ５は、図５に示されるベーンレスディフューザ１６を備えた多段圧縮機の流量と圧力比の関係を示す作動ラインである。直線Ｌ５は、運転可能な範囲Ａ内であり、直線Ｌ１以下の運転条件であるため、軸流圧縮機３においてサージングの発生を抑制して運転を実行可能であることを示している。
【００３１】
直線Ｌ５は、直線Ｌ３より下方に存在し、直線Ｌ３よりも大きな傾きの直線であり、ベーンレスディフューザ１６を備えた多段圧縮機は、高弦節比のディフューザ１４を備えた多段圧縮機と比較して、同一の圧力比の場合に流量が増えることを示している。
【００３２】
また、直線Ｌ５は、図４に示される直線Ｌ４よりも大きい傾きの直線であり、ベーンレスディフューザ１６を備えた多段圧縮機は、低弦節比のディフューザ１０を備えた多段圧縮機１と比較して、同一の圧力比の場合に流量が増加することを示している。
【００３３】
次にこのように構成された多段圧縮機１の動作について説明する。
多段圧縮機１では、軸流圧縮機３のロータ６を回転させて軸流圧縮機３に吸入された大気を圧縮する。圧縮空気は後段の遠心圧縮機２に導入される。遠心圧縮機２は、インペラ９を回転させて遠心圧縮機２に吸入された圧縮空気をさらに圧縮する。遠心圧縮機２内の圧縮空気は、径方向の外方に向けて排出されてディフューザ１０に導入される。ディフューザ１０に導入された圧縮空気は、静翼１１によって径方向の外方に案内される。圧縮空気の運動エネルギはディフューザ１０によって圧力エネルギに変換される。このように運動エネルギが圧力エネルギに変換されて昇圧された圧縮空気は、流路１２を通り、流れの向きが軸線方向の後方に向けられたのち、整流板１３によって整流されて、多段圧縮機１外に排出される。
【００３４】
多段圧縮機１を備えたガスタービンエンジンでは、多段圧縮機１から排出され燃焼室内に導入された圧縮空気と、燃焼室内に噴射された燃料とが、混合されて混合ガスを生成する。燃焼室内での燃焼により発生した燃焼ガスは、燃焼室の下流から排出されて、燃焼室の下流のタービンに吹き付けられ、タービンを回転させると共に、推進力を発生させる。燃焼室の下流のタービンが回転することで、ロータ６及びインペラ９が回転し、多段圧縮機１での空気の圧縮が行われる。
【００３５】
多段圧縮機１によれば、遠心圧縮機２のインペラ９の外周９ａに配置されたディフューザ１０の弦節比が、３．０以下であるので、ディフューザ１０における圧力損失を抑制し流量を増加させて、軸流圧縮機３におけるサージングの発生を防止することができる。抽気のための専用の装置や、可変入口案内翼のための専用の装置を設けることなく、サージングの発生を防止することができるので、部品点数の増加や、重量の増加や、制御の複雑さを回避して、サージングの発生を抑制することができる。
【００３６】
このような多段圧縮機１を備えたガスタービンエンジンによれば、小型化を図ると共に、重量の増加を抑えることが可能であり、起動時において、軸流圧縮機３におけるサージングの発生を抑制して、圧縮空気を確実に燃焼器に供給することができる。
【００３７】
図７は、多段圧縮機１における試験結果を示すものであり、流量と圧力比との関係を示している。横軸に空気流量（ｋｇ／ｓ）を示し、縦軸に圧力比を示している。この圧力比は、多段圧縮機１の入口圧力に対する出口圧力の比率である。低弦節比（弦節比σ＝２．５）の場合の値を三角の点で示し、高弦節比（弦節比σ＝９．０）の場合を円形の点で示している。図７に示す通り、低弦節比のディフューザ１０を備える場合には、低流量側での作動範囲が、高弦節比の場合と比較して広がっている。低弦節比のディフューザ１０を備えた多段圧縮機１では、起動時などの低流量時において、軸流圧縮機３でのサージングの発生を抑えて、運転可能であることが確認できた。
【００３８】
本発明は、前述した実施形態に限定されず、本発明の要旨を逸脱しない範囲で、下記のような種々の変形が可能である。
【００３９】
上記の実施形態では、遠心圧縮機２の前段に軸流圧縮機３を備える多段圧縮機１として説明しているが、軸流圧縮機３に代えて、斜流圧縮機を備える多段圧縮機でもよい。また、遠心圧縮機２を複数備える構成でもよい。
【００４０】
多段圧縮機１を備えるガスタービンエンジンは、火力発電所や、コージェネレーションシステムなど、その他の用途に使用することができる。
【００４１】
弦節比σは、３．０以下であればよく、例えば、２．５以下でもよい。
【符号の説明】
【００４２】
１…多段圧縮機、２…遠心圧縮機、３…軸流圧縮機、５…回転軸、９…インペラ、９ａ…外周、１０…ディフューザ、１１…静翼、１４…ベーンレス（翼無）ディフューザ、Ｐ…配置間隔、Ｃ…翼弦長。
【図１】
2014214649.tif 000004
【図２】
2014214649.tif 000005
【図３】
2014214649.tif 000006
【図４】
2014214649.tif 000007
【図５】
2014214649.tif 000008
【図６】
2014214649.tif 000009
【図７】
2014214649.tif 000010